(57)【要約】      （修正有）【課題】ウォーキング等の移動運動に対する利用者の意欲を効果的に維持する。【解決手段】領域設定部は、端末装置１４の位置検出部が生成した利用者の位置情報の時系列に応じた管理領域を設定する。表示制御部は、領域設定部が設定した管理領域を利用者の端末装置１４の表示装置に表示させる。管理領域には、利用者に付与された所有キャラクタと利用者を表象するアバターとが配置される。【選択図】図１
2014026475.tif 000002
【特許請求の範囲】
【請求項１】
利用者の位置情報の時系列に応じた管理領域を設定する領域設定部と、
前記領域設定部が設定した管理領域を当該利用者の表示装置に表示させる表示制御部と
を具備する移動履歴管理装置。
【請求項２】
利用者にキャラクタを付与するキャラクタ管理部を具備し、
前記表示制御部は、前記キャラクタ管理部が利用者に付与したキャラクタを当該利用者の前記管理領域内に配置する
請求項１の移動履歴管理装置。
【請求項３】
前記キャラクタ管理部は、利用者の管理領域が広いほど当該利用者に付与するキャラクタの総数を増加させる
請求項２の移動履歴管理装置。
【請求項４】
利用者の所有ポイントを管理するポイント管理部を具備し、
前記キャラクタ管理部は、前記所有ポイントの消費と引換えに利用者にキャラクタを付与する
請求項２または請求項３の移動履歴管理装置。
【請求項５】
利用者の所有ポイントを管理するポイント管理部を具備し、
前記キャラクタ管理部は、前記所有ポイントの消費と引換えにキャラクタの表示態様を変化させる
請求項２または請求項３の移動履歴管理装置。
【請求項６】
前記ポイント管理部は、利用者の位置情報の時系列から特定される移動距離に応じて当該利用者の所有ポイントを制御する
請求項４または請求項５の移動履歴管理装置。
【請求項７】
前記領域設定部は、前記管理領域を複数の利用者の各々について設定する
請求項１から請求項６の何れかの移動履歴管理装置。
【請求項８】
前記表示制御部は、第１利用者の管理領域と第２利用者の管理領域とを前記第１利用者の表示装置に表示させる
請求項７の移動履歴管理装置。
【請求項９】
利用者を表象するアバターを複数の利用者の各々について設定するアバター管理部を具備し、
前記表示制御部は、第１利用者の管理領域と第２利用者の管理領域との少なくとも一部が重複する場合に、前記第２利用者のアバターを前記第１利用者の表示装置に表示させる
請求項７または請求項８の移動履歴管理装置。
【請求項１０】
前記第１利用者の表示装置に表示された前記第２利用者のアバターに対する指示に応じて、前記第２利用者との交流関係の設定要求を前記第１利用者から受付ける関係管理部
を具備する請求項９の移動履歴管理装置。
【請求項１１】
利用者の位置情報の時系列に応じた管理領域を設定する領域設定処理と、
前記領域設定処理で設定した管理領域を当該利用者の表示装置に表示させる表示制御処理と
をコンピュータに実行させるプログラム。
【請求項１２】
コンピュータが、
利用者の位置情報の時系列に応じた管理領域を設定し、
前記設定した管理領域を当該利用者の表示装置に表示させる
移動履歴管理方法。
【発明の詳細な説明】
【技術分野】
【０００１】
本発明は、ウォーキングやランニング等の利用者の移動を伴う運動（以下「移動運動」という）を管理する技術に関する。
【背景技術】
【０００２】
ウォーキングやランニング等の移動運動に対する利用者の意欲を長期間にわたり維持させるための各種の技術が従来から提案されている。例えば特許文献１には、利用者の歩数計で測定された計測データをサーバ装置に蓄積し、時間帯毎の歩数や距離，消費エネルギー等の数値を利用者の端末装置に表示させる技術が開示されている。
【先行技術文献】
【特許文献】
【０００３】
【特許文献１】特開２００４−１１８３３９号公報
【発明の概要】
【発明が解決しようとする課題】
【０００４】
しかし、特許文献１の技術では、単純に歩数や距離等の数値が端末装置に表示されるに過ぎず、達成度の直観的な把握が困難であるから、移動運動に対する利用者の意欲を長期間にわたり充分に維持することは実際には困難であるという問題がある。以上の事情を考慮して、本発明は、ウォーキングやランニング等の移動運動に対する利用者の意欲を効果的に維持することを目的とする。
【課題を解決するための手段】
【０００５】
以上の課題を解決するために本発明が採用する手段を以下に説明する。なお、本発明の理解を容易にするために以下では図面の参照符号を便宜的に括弧書で付記するが、本発明を図示の形態に限定する趣旨ではない。
【０００６】
本発明に係る移動履歴管理装置（１２，１２A）は、利用者の位置情報（Ｌ）の時系列に応じた管理領域（Ｑ）を設定する領域設定部（５１）と、領域設定部（５１）が設定した管理領域（Ｑ）を当該利用者の表示装置（２４）に表示させる表示制御部（５４）とを具備する。
【０００７】
本発明の好適な態様に係る移動履歴管理装置（１２，１２A）は、利用者にキャラクタ（Ｃ）を付与するキャラクタ管理部（５２）を具備し、表示制御部（５４）は、キャラクタ管理部（５２）が利用者に付与したキャラクタ（Ｃ）を当該利用者の管理領域（Ｑ）内に配置する。例えば、キャラクタ管理部（５２）は、利用者の管理領域（Ｑ）が広いほど当該利用者に付与するキャラクタ（Ｃ）の総数を増加させる。
【０００８】
本発明の好適な態様に係る移動履歴管理装置（１２，１２A）は、利用者の所有ポイント（Ｐ）を管理するポイント管理部（５５）を具備し、キャラクタ管理部（５２）は、所有ポイント（Ｐ）の消費と引換えに利用者にキャラクタ（Ｃ）を付与する。他の態様に係る移動履歴管理装置（１２，１２A）は、利用者の所有ポイント（Ｐ）を管理するポイント管理部（５５）を具備し、キャラクタ管理部（５２）は、所有ポイント（Ｐ）の消費と引換えにキャラクタ（Ｃ）の表示態様を変化させる。以上の各態様の好適例において、ポイント管理部（５５）は、利用者の位置情報（Ｌ）の時系列から特定される移動距離（δ）に応じて当該利用者の所有ポイント（Ｐ）を制御する。
【０００９】
本発明の好適な態様において、領域設定部（５１）は、管理領域（Ｑ）を複数の利用者の各々について設定する。さらに好適な態様において、表示制御部（５４）は、第１利用者（Ｘ1）の管理領域（Ｑ1）と第２利用者（Ｘ2）の管理領域（Ｑ2）とを第１利用者（Ｘ1）の表示装置（２４）に表示させる。別の態様に係る移動履歴管理装置（１２，１２A）は、利用者を表象するアバター（Ａ）を複数の利用者の各々について設定するアバター管理部（５３）を具備し、表示制御部（５４）は、第１利用者（Ｘ1）の管理領域（Ｑ1）と第２利用者（Ｘ2）の管理領域（Ｑ2）との少なくとも一部が重複する場合に、第２利用者（Ｘ2）のアバター（Ａ2）を第１利用者（Ｘ1）の表示装置（２４）に表示させる。また、第１利用者（Ｘ1）の表示装置（２４）に表示された第２利用者（Ｘ2）のアバター（Ａ2）に対する指示に応じて、第２利用者（Ｘ2）との交流関係の設定要求を第１利用者（Ｘ1）から受付ける関係管理部（５６）を具備する構成も好適である。
【００１０】
本発明は、前述の各態様に係る移動履歴管理装置（１２，１２A）としてコンピュータを機能させるためのプログラムとしても特定される。本発明に係るプログラムは、利用者の位置情報（Ｌ）の時系列に応じた管理領域（Ｑ）を設定する領域設定処理（ＳA4）と、領域設定処理（ＳA4）で設定した管理領域（Ｑ）を当該利用者の表示装置（２４）に表示させる表示制御処理（ＳA7）とをコンピュータに実行させる。以上の各態様に係るプログラムは、コンピュータが読取可能な記録媒体に格納された形態で提供されてコンピュータにインストールされるほか、通信網を介した配信の形態で提供されてコンピュータにインストールされる。
【００１１】
本発明は、移動履歴管理方法としても特定される。本発明に係る移動履歴管理方法は、利用者の位置情報（Ｌ）の時系列に応じた管理領域（Ｑ）を設定し、設定した管理領域（Ｑ）を当該利用者の表示装置（２４）に表示させる。
【図面の簡単な説明】
【００１２】
【図１】本発明の第１実施形態に係る通信システムのブロック図である。
【図２】端末装置のブロック図である。
【図３】領域通知画像の模式図である。
【図４】移動履歴管理装置のブロック図である。
【図５】利用者情報の模式図である。
【図６】管理領域の設定動作の説明図である。
【図７】管理領域の設定および通知に関する通信システムの動作の説明図である。
【図８】第２実施形態における利用者情報の模式図である。
【図９】第２実施形態における移動履歴管理装置のブロック図である。
【図１０】第２実施形態における管理領域の設定および通知に関する動作の説明図である。
【図１１】第２実施形態においてキャラクタを付与する動作の説明図である。
【図１２】第３実施形態においてキャラクタを成長させる動作の説明図である。
【図１３】第４実施形態における領域通知画像の模式図である。
【図１４】第５実施形態における領域通知画像の模式図である。
【図１５】第５実施形態における領域通知画像の模式図である。
【図１６】第６実施形態における移動履歴管理装置のブロック図である。
【図１７】第７実施形態における移動履歴管理装置のブロック図である。
【発明を実施するための形態】
【００１３】
＜第１実施形態＞
図１は、本発明の第１実施形態に係る通信システム１００のブロック図である。図１に示すように、第１実施形態の通信システム１００は、移動履歴管理装置１２と複数の端末装置１４とを具備する。各端末装置１４は、例えば携帯電話機やスマートフォン等の通信端末であり、通信網１６（例えば移動通信網やインターネット）を介して移動履歴管理装置１２と通信する。
【００１４】
図２は、各端末装置１４のブロック図である。図２に示すように、端末装置１４は、制御装置２１と記憶装置２２と通信装置２３と表示装置２４と入力装置２５と受信装置２６とを含んで構成される。制御装置２１は、端末装置１４の各要素を統括的に制御する演算処理装置である。記憶装置２２は、制御装置２１が実行するプログラムや制御装置２１が使用する各種のデータを記憶する。通信装置２３は、通信網１６を介して移動履歴管理装置１２と通信する。
【００１５】
表示装置２４（例えば液晶表示パネル）は、制御装置２１による制御のもとで各種の画像を表示する。具体的には、制御装置２１は、移動履歴管理装置１２から提供される表示画像データＧに応じた画像（例えば後述の領域通知画像３０）を表示装置２４に表示させる。入力装置２５は、端末装置１４に対する指示を利用者が入力するための機器であり、例えば利用者が操作する複数の操作子を含んで構成される。なお、表示装置２４と一体に構成されたタッチパネルや、端末装置１４に対する指示を音声で入力するためのマイクロホンを入力装置２５として採用することも可能である。
【００１６】
受信装置２６は、複数のＧＰＳ（Global Positioning System）衛星からの電波を受信する。制御装置２１は、記憶装置２２に記憶されたプログラムを実行することで、受信装置２６が受信した電波を利用して位置情報Ｌを順次に生成する位置検出部２８として機能する。位置情報Ｌは、端末装置１４の位置（緯度および経度）を示す情報である。位置検出部２８が生成した位置情報Ｌは通信装置２３から移動履歴管理装置１２に送信される。位置情報Ｌの時系列は、端末装置１４の移動経路を表現する。
【００１７】
図１の移動履歴管理装置１２は、各端末装置１４の位置情報Ｌの時系列を取得して各端末装置１４の移動履歴を管理するサーバ装置（典型的にはウェブサーバ）である。第１実施形態の移動履歴管理装置１２は、図３に示すように、位置情報Ｌの時系列で表現される端末装置１４の移動経路に対応する領域（以下「管理領域」という）Ｑを端末装置１４の利用者の仮想的な管理地として利用者毎に設定し、利用者に付与されたキャラクタ（例えば動物や植物）Ｃと利用者を表象するアバターＡとを管理領域Ｑ内に配置して管理および育成するサービス（いわゆる育成ゲーム）を各端末装置１４の利用者に提供する。
【００１８】
図４は、移動履歴管理装置１２のブロック図である。図４に示すように、移動履歴管理装置１２は、制御装置４２と記憶装置４４と通信装置４６とを含んで構成される。なお、移動履歴管理装置１２を複数の装置（仮想的な１個のサーバ装置）に分散した構成も採用され得る。制御装置４２は、移動履歴管理装置１２を統括的に制御する演算処理装置である。通信装置４６は、通信網１６を介して各端末装置１４と通信する。
【００１９】
記憶装置４４は、制御装置４２が実行するプログラムや制御装置４２が使用する各種のデータを記憶する。例えば半導体記録媒体や磁気記録媒体等の記録媒体または複数種の記録媒体の組合せが記憶装置４４として採用され得る。なお、移動履歴管理装置１２とは別個の外部装置（例えばサーバ装置）に記憶装置４４を設置し、移動履歴管理装置１２が通信網１６を介して記憶装置４４内の情報を外部装置から取得する構成も採用され得る。すなわち、記憶装置４４は移動履歴管理装置１２の必須の要件ではない。また、例えば相互に独立した複数の記憶回路（例えば地理的に相異なる位置に設置された複数のサーバ装置）で記憶装置４４（仮想的な１個の記憶装置）を構成することも可能である。
【００２０】
第１実施形態の記憶装置４４は、端末装置１４の利用者毎に利用者情報Ｕを記憶する。図５に示すように、利用者情報Ｕは、識別情報ＵIDと領域情報ＵQと所有キャラクタ情報ＵCとアバター情報ＵAとを含んで構成される。識別情報ＵIDは、各利用者を識別するための符号である。領域情報ＵQは、利用者の管理領域Ｑを指定する。具体的には、多角形で表現される管理領域Ｑの各頂点の座標が領域情報ＵQで指定される。
【００２１】
所有キャラクタ情報ＵCは、利用者に付与されたキャラクタ（以下「所有キャラクタ」という）Ｃを規定する。具体的には、所有キャラクタ情報ＵCは、所有キャラクタＣの画像（画像データＤC）を指定する識別情報と管理領域Ｑ内での所有キャラクタＣの配置位置とを所有キャラクタＣ毎に指定する。アバター情報ＵAは、各端末装置１４の利用者を表象するアバターＡの画像（画像データＤA）を指定する。
【００２２】
また、記憶装置４４は、地図情報ＤMと画像データＤCと画像データＤAとを記憶する。地図情報ＤMは、道路等が配置された土地の地図（以下「参照地図」という）Ｍを表現する。地図情報ＤMで表現される参照地図Ｍは、図３に示すように、端末装置１４の位置情報Ｌで指定される位置（緯度および軽度）に対応する各地点を包含し、各利用者の管理領域Ｑが規定される２次元座標平面として利用される。すなわち、各利用者の管理領域Ｑが参照地図Ｍ上に画定される。画像データＤCは、各利用者に付与され得る各キャラクタＣの画像を表現する。画像データＤAは、各利用者のアバターＡの画像を表現する。
【００２３】
制御装置４２は、記憶装置４４に記憶されたプログラムを実行することで、各端末装置１４の移動履歴を管理するための複数の機能（領域設定部５１，キャラクタ管理部５２，アバター管理部５３，表示制御部５４）を実現する。なお、制御装置４２の各機能を複数の装置に分散することも可能である。
【００２４】
領域設定部５１は、端末装置１４の位置情報Ｌの時系列に応じて管理領域Ｑを端末装置１４の利用者毎に設定する。具体的には、領域設定部５１は、端末装置１４から取得した位置情報Ｌの時系列に応じて利用者の利用者情報Ｕの領域情報ＵQを生成または更新する。例えば、領域設定部５１は、図６に示すように、地図情報ＤMが指定する参照地図Ｍのうち位置情報Ｌの時系列で指定される端末装置１４の移動経路ＲTに近似する道路ＲMで画定される領域を利用者の管理領域Ｑとして設定する。すなわち、位置情報Ｌで指定される端末装置１４の各位置が参照地図の道路上の地点に近似される。なお、端末装置１４がひとつの経路を往復した場合、管理領域Ｑは、直線状（折線状）の領域に設定される。
【００２５】
図４のキャラクタ管理部５２は、各端末装置１４の利用者にキャラクタＣを付与する。具体的には、キャラクタ管理部５２は、利用者情報Ｕの所有キャラクタ情報ＵCが指定する所有キャラクタＣを追加または更新する。第１実施形態では、利用者の管理領域Ｑの面積に応じて利用者にキャラクタＣが付与される。すなわち、管理領域Ｑが広いほど利用者の所有キャラクタＣの総数が増加する。アバター管理部５３は、端末装置１４の利用者毎にアバターＡを設定する。具体的には、アバター管理部５３は、利用者情報Ｕのアバター情報ＵAを利用者からの指示に応じて更新する。
【００２６】
表示制御部５４は、領域設定部５１が各利用者に設定した管理領域Ｑをその利用者の端末装置１４の表示装置２４に表示させる。具体的には、表示制御部５４は、任意の利用者Ｘ1の管理領域Ｑを提示する画像（以下「領域通知画像」という）３０の表示画像データＧを生成して通信装置４６から利用者Ｘ1の端末装置１４に送信することで、利用者Ｘ1の端末装置１４の表示装置２４に領域通知画像３０を表示させる。
【００２７】
図３に例示されるように、利用者Ｘ1の端末装置１４に表示される領域通知画像３０は、地図情報ＤMで表現される参照地図Ｍ上に利用者Ｘ1の管理領域Ｑを配置した画像である。管理領域Ｑは、利用者Ｘ1が参照地図Ｍの他の領域と視覚的に区別できるように参照地図Ｍとは相違する態様で強調表示される。表示制御部５４は、利用者Ｘ1の所有キャラクタＣと利用者Ｘ1のアバターＡとを管理領域Ｑ内に配置する。所有キャラクタＣの画像データＤCおよび配置位置は、利用者Ｘ1の利用者情報Ｕ内の所有キャラクタ情報ＵCに応じて選定され、管理領域Ｑ内のアバターＡの画像データＤAは、利用者Ｘ1の利用者情報Ｕ内のアバター情報ＵAに応じて選定される。
【００２８】
図７は、管理領域Ｑの設定および通知に関する通信システム１００の動作の説明図である。任意の利用者Ｘ1は、端末装置１４を所持した状態でウォーキングやランニング等の移動運動を実行する。図７に示すように、利用者Ｘ1の端末装置１４の位置検出部２８は、受信装置２６による受信電波に応じて端末装置１４の位置情報Ｌを順次に生成して記憶装置２２に格納し（ＳA1）、例えば入力装置２５に対する利用者からの指示を契機として位置情報Ｌの時系列を通信装置４６から移動履歴管理装置１２に送信する（ＳA2）。なお、例えば所定周期で位置情報Ｌを端末装置１４から移動履歴管理装置１２に送信する構成も採用され得る。
【００２９】
移動履歴管理装置１２の領域設定部５１は、通信装置４６が利用者Ｘ1の端末装置１４から受信した位置情報Ｌの時系列を取得し（ＳA3）、位置情報Ｌの時系列に応じて管理領域Ｑを設定するとともに利用者Ｘ1の利用者情報Ｕの領域情報ＵQを生成または更新する（ＳA4）。キャラクタ管理部５２は、領域設定部５１が設定した管理領域Ｑの面積αが複数の閾値αTHの何れかに到達したか否かを判定する（ＳA5）。判定結果が肯定である場合、キャラクタ管理部５２は、記憶装置４４に画像データＤCが記憶された複数のキャラクタＣのうち管理領域Ｑの面積αが到達した閾値αTHに対応するキャラクタＣを利用者Ｘ1に付与する（ＳA6）。すなわち、閾値αTHに対応したキャラクタＣの情報（識別情報および配置位置）が利用者Ｘ1の利用者情報Ｕの所有キャラクタ情報ＵCに追加される。なお、所有キャラクタＣの配置位置は、例えば利用者からの指示に応じた位置や、管理領域Ｑ内の特定の位置（例えば管理領域Ｑの重心位置や管理領域Ｑ内のランダムな位置）に設定される。なお、ステップＳA6で利用者Ｘ1に付与されるキャラクタＣをランダムに選択することも可能である。
【００３０】
他方、更新後の管理領域Ｑの面積αが何れの閾値αTHにも到達しない場合（ＳA5：NO）、利用者Ｘ1に対するキャラクタＣの付与（ＳA6）は実行されない。以上に説明した通り、管理領域Ｑの面積が各閾値αTHに到達するたびに利用者Ｘ1に新規なキャラクタＣが付与される。したがって、利用者Ｘ1の管理領域Ｑが広いほど利用者Ｘ1の所有キャラクタＣの総数は増加する。
【００３１】
表示制御部５４は、今回の更新後の管理領域Ｑを利用者Ｘ1に提示する領域通知画像３０の表示画像データＧを利用者Ｘ1の端末装置１４に送信する（ＳA7）。利用者Ｘ1の端末装置１４の表示装置２４は、通信装置２３が移動履歴管理装置１２から受信した表示画像データＧに応じた領域通知画像３０を表示する（ＳA8）。管理領域Ｑの面積αが閾値αTHに到達した場合（ＳA5：YES）、利用者Ｘ1に過去に付与された所有キャラクタＣと利用者Ｘ1のアバターＡとに加えて、直前のステップＳA6で新規に付与された所有キャラクタＣも管理領域Ｑ内に配置される。以上に説明した図７の処理が各利用者の端末装置１４毎に実行される。
【００３２】
以上に説明した通り、第１実施形態では、各端末装置１４の位置情報Ｌの時系列（利用者の移動経路）に応じた管理領域Ｑが設定されて利用者の端末装置１４の表示装置２４に表示されるから、利用者が自分の移動運動の状況を視覚的および直観的に把握できる。したがって、ウォーキングやランニング等の移動運動に対する利用者の意欲（モチベーション）を効果的に維持できるという利点がある。第１実施形態では特に、利用者の所有キャラクタＣやアバターＡが管理領域Ｑ内に配置され、かつ、管理領域Ｑの面積αが増加する（すなわち利用者が広範囲を移動する）ほど利用者の所有キャラクタＣの総数が増加するから、移動運動に対する利用者の意欲を維持できるという効果は格別に顕著である。
【００３３】
＜第２実施形態＞
本発明の第２実施形態を以下に説明する。なお、以下に例示する各形態において作用や機能が第１実施形態と同等である要素については、第１実施形態の説明で参照した符号を流用して各々の詳細な説明を適宜に省略する。
【００３４】
図８は、第２実施形態の移動履歴管理装置１２の記憶装置４４が利用者毎に記憶する利用者情報Ｕの模式図である。第２実施形態の利用者情報Ｕは、第１実施形態と同様の要素（識別情報ＵID，領域情報ＵQ，所有キャラクタ情報ＵC，アバター情報ＵA）に加えて、利用者が所有するポイント（以下「所有ポイント」という）Ｐを記憶する。ポイントは、移動履歴管理装置１２が提供するサービスで利用可能な仮想的な通貨である。第２実施形態のキャラクタ管理部５２は、所有ポイントＰの所定量の消費（消滅）と引換えに各利用者にキャラクタＣを付与する。
【００３５】
図９は、第２実施形態の移動履歴管理装置１２のブロック図である。図９に示すように、第２実施形態の移動履歴管理装置１２の制御装置４２は、第１実施形態と同様の要素（領域設定部５１，キャラクタ管理部５２，アバター管理部５３，表示制御部５４）に加えてポイント管理部５５として機能する。ポイント管理部５５は、各利用者の所有ポイントＰを管理する。具体的には、ポイント管理部５５は、端末装置１４の位置情報Ｌの時系列から特定される利用者の移動距離δに応じてその利用者の所有ポイントＰを制御する。第２実施形態のポイント管理部５５は、端末装置１４の利用者が移動運動を実行した場合に所有ポイントＰに所定量（以下「付加量」という）ｐを加算する一方、端末装置１４の位置情報Ｌの時系列から特定される利用者の移動距離δが長いほど所有ポイントＰに対する付加量ｐを増加させる。
【００３６】
図１０は、管理領域Ｑの設定および通知に関する通信システム１００の動作の説明図である。任意の利用者Ｘ1の端末装置１４が生成（ＳA1）および送信（ＳA2）した位置情報Ｌの時系列を取得すると（ＳA3）、移動履歴管理装置１２の領域設定部５１は、第１実施形態と同様に、位置情報Ｌの時系列に応じた利用者Ｘ1の管理領域Ｑを設定する（ＳA4）。
【００３７】
移動履歴管理装置１２のポイント管理部５５は、端末装置１４から取得した位置情報Ｌの時系列から利用者Ｘ1の移動距離δを算定し、移動距離δに応じて付加量ｐを設定する（ＳA10）。そして、ポイント管理部５５は、記憶装置４４に記憶された利用者Ｘ1の所有ポイントＰに、ステップＳA10で設定した付加量ｐを加算する（ＳA11）。管理領域Ｑの面積αに応じたキャラクタＣの付与（ＳA5，ＳA6）や管理領域Ｑを利用者Ｘ1に提示する領域通知画像３０の表示（ＳA7，ＳA8）の内容は第１実施形態と同様である。
【００３８】
図１１は、所有ポイントＰの消費と引換えに任意の利用者Ｘ1にキャラクタＣを付与する動作の説明図である。利用者Ｘ1が入力装置２５の操作で所望のキャラクタＣの取得を指示すると（ＳB1）、端末装置１４から移動履歴管理装置１２に対して、利用者Ｘ1の所望のキャラクタＣを指定したキャラクタ更新要求が送信される（ＳB2）。移動履歴管理装置１２の通信装置４６がキャラクタ更新要求を受信すると、要求元の利用者Ｘ1の所有ポイントＰの消費と引換えに利用者Ｘ1にキャラクタＣが付与される（ＳB3，ＳB4）。具体的には、ポイント管理部５５は、記憶装置４４に記憶された利用者Ｘ1の所有ポイントＰから所定量を減算する（ＳB3）。所有ポイントＰの減算量（すなわちキャラクタＣの付与の対価として消費される数量）は、例えば利用者Ｘ1が取得対象として選択したキャラクタＣの種類に応じて可変に設定される。所有ポイントＰの減算が適切に完了した場合、キャラクタ管理部５２は、キャラクタ更新要求で指定されたキャラクタＣを利用者Ｘ1に付与する（ＳB4）。すなわち、利用者Ｘ1が指定したキャラクタＣの情報（識別情報および配置位置）が利用者Ｘ1の利用者情報Ｕの所有キャラクタ情報ＵCに追加される。
【００３９】
表示制御部５４は、利用者Ｘ1の所有ポイントＰの消費と引換えに追加されたキャラクタＣを含む利用者Ｘ1の所有キャラクタＣを利用者Ｘ1のアバターＡとともに管理領域Ｑ内に配置した領域通知画像３０を利用者Ｘ1の端末装置１４の表示装置２４に表示させる（ＳB5，ＳB6）。
【００４０】
第２実施形態においても第１実施形態と同様の効果が実現される。また、第２実施形態では、利用者の移動距離δに応じて所有ポイントＰが制御される一方、所有ポイントＰの消費と引換えに利用者にキャラクタＣが付与される。以上のように移動運動の実行で所有ポイントＰを増加させてキャラクタＣを獲得する誘因が利用者に付与されるから、移動運動に対する利用者の意欲を維持できるという効果は格別に顕著である。
【００４１】
＜第３実施形態＞
第３実施形態では、動物や植物等の所有キャラクタＣが経時的に成長するとともに成長の段階毎に所有キャラクタＣの表示態様が変化する。すなわち、利用者は、自身の所有キャラクタＣが経時的に成長する過程を確認することが可能である。第３実施形態の利用者情報Ｕの所有キャラクタ情報ＵCは、識別情報および配置位置に加えて成長度（キャラクタの表示態様を識別する情報）を所有キャラクタＣ毎に指定する。また、各キャラクタＣの複数の成長段階の各々に対応する画像データＤCが記憶装置４４に記憶される。
【００４２】
第３実施形態では、第２実施形態で説明した図１１の動作が図１２の動作に置換される。第３実施形態では、図１２を参照して以下に説明する動作により、利用者Ｘ1の所有ポイントＰの所定量の消費と引換えに利用者Ｘ1の所有キャラクタＣを成長させる（表示態様を変化させる）ことが可能である。
【００４３】
具体的には、第２実施形態と同様に、利用者Ｘ1の所望の所有キャラクタＣを指定したキャラクタ更新要求が端末装置１４から移動履歴管理装置１２に送信されると（ＳB1，ＳB2）、ポイント管理部５５は、利用者Ｘ1の所有ポイントＰから所定量（例えば利用者Ｘ1が指定した所有キャラクタＣの種類に応じた数量）を減算する（ＳB3）。所有ポイントＰの減算が完了すると、キャラクタ管理部５２は、キャラクタ更新要求で指定された所有キャラクタＣの成長度を更新する（ＳB10）。したがって、管理領域Ｑ内に利用者Ｘ1のアバターＡとともに表示（ＳB5，ＳB6）される所有キャラクタＣの表示態様が変更される。管理領域Ｑの設定および通知に関する第３実施形態の動作（例えば移動距離δに応じた所有ポイントＰの更新）は、図１０を参照して説明した第２実施形態と同様である。
【００４４】
第３実施形態においても第１実施形態と同様の効果が実現される。また、第２実施形態では、利用者Ｘ1の移動距離δに応じて利用者Ｘ1の所有ポイントＰが制御される一方、所有ポイントＰの消費と引換えに利用者Ｘ1の所有キャラクタＣの表示態様が変更される（すなわち所有キャラクタＣが成長する）。以上のように移動運動の実行で所有ポイントＰを増加させてキャラクタＣを成長させる誘因が利用者に付与されるから、第２実施形態と同様に、移動運動に対する利用者の意欲を維持できるという効果は格別に顕著である。
【００４５】
なお、第２実施形態および第３実施形態では、管理領域Ｑの面積αに応じたキャラクタの付与（ＳA5，ＳA6）と所有ポイントＰの消費による所有キャラクタＣの更新（ＳB3，ＳB4，ＳB10）との双方を例示したが、管理領域Ｑの面積αに応じたキャラクタの付与を省略することも可能である。また、所有ポイントＰの消費と引換えにキャラクタＣを付与する第２実施形態の処理と、所有ポイントＰの消費と引換えにキャラクタＣの表示態様（成長度）を更新する第３実施形態の処理との双方を実行する構成や、例えば利用者からの指示に応じて一方の処理を選択的に実行する構成も採用され得る。
【００４６】
＜第４実施形態＞
図１３は、第４実施形態の移動履歴管理装置１２の表示制御部５４が任意の利用者Ｘ1の端末装置１４に表示させる領域通知画像３０の模式図である。図１３に示すように、第４実施形態の表示制御部５４は、参照地図Ｍ上で利用者Ｘ1の管理領域Ｑ1の近傍に位置する他の利用者Ｘ2の管理領域Ｑ2を、利用者Ｘ1の管理領域Ｑ1とともに利用者Ｘ1の端末装置１４の表示装置２４に表示させる（図７のステップＳA7）。利用者Ｘ1の管理領域Ｑ1と利用者Ｘ2の管理領域Ｑ2とは相異なる態様（色彩や明度や模様等の視覚的に区別可能な性状）で表示される。利用者Ｘ1の管理領域Ｑ1には利用者Ｘ1の所有キャラクタＣ1と利用者Ｘ1のアバターＡ1とが配置され、利用者Ｘ2の管理領域Ｑ2には利用者Ｘ2の所有キャラクタＣ2と利用者Ｘ2のアバターＡ2とが配置される。他の構成や動作は前述の各形態と同様である。
【００４７】
なお、図１３では、ひとりの利用者Ｘ2の管理領域Ｑ2を利用者Ｘ1の管理領域Ｑ1とともに表示した場合を例示したが、利用者Ｘ1の管理領域Ｑ1の近傍に２以上の他の利用者の管理領域Ｑが位置する場合、各利用者の管理領域Ｑが利用者Ｘ1の管理領域Ｑ1とともに利用者Ｘ1の端末装置１４に表示される。また、各管理領域Ｑの重複の有無は不問である。利用者Ｘ2の管理領域Ｑ2（所有キャラクタＣ2，アバターＡ2）の表示の有無を、利用者Ｘ1からの指示に応じて切換える構成も採用され得る。
【００４８】
第４実施形態においても第１実施形態と同様の効果が実現される。また、第４実施形態では、利用者Ｘ1の管理領域Ｑ1の近傍に位置する他の利用者Ｘ2の管理領域Ｑ2が管理領域Ｑ1とともに利用者Ｘ1の表示装置２４に表示されるから、利用者Ｘ1は、自身が移動運動を実行している管理領域Ｑ1の近傍で移動運動を実行している他の利用者の存在を認識できる。したがって、移動運動に対する利用者の意欲を効果的に維持できるという効果は格別に顕著である。なお、第４実施形態の構成を第２実施形態や第３実施形態に適用することも可能である。
【００４９】
＜第５実施形態＞
図１４は、第５実施形態の移動履歴管理装置１２の表示制御部５４が任意の利用者Ｘ1の端末装置１４に表示させる領域通知画像３０の模式図である。利用者Ｘ1の管理領域Ｑ1と他の利用者Ｘ2の管理領域Ｑ2との少なくとも一部が相互に重複する場合、表示制御部５４は、図１４に示すように、利用者Ｘ1の管理領域Ｑ1と利用者Ｘ1の所有キャラクタＣ1およびアバターＡ1とに加えて利用者Ｘ2のアバターＡ2を含む領域通知画像３０を、利用者Ｘ1の端末装置１４の表示装置２４に表示させる。具体的には、利用者Ｘ2のアバターＡ2は、利用者Ｘ1の管理領域Ｑ1のうち利用者Ｘ2の管理領域Ｑ2と重複する領域Ｑ3（図１５参照）に配置される。ただし、図１４に例示された領域通知画像３０では、利用者Ｘ2の管理領域Ｑ2や所有キャラクタＣ2は非表示に設定されている。なお、利用者Ｘ1の管理領域Ｑ1に２以上の他の利用者の管理領域Ｑが重複する場合、各利用者のアバターＡが利用者Ｘ1の端末装置１４に表示される。他の構成や動作は前述の各形態と同様である。
【００５０】
図１４に例示した領域通知画像３０で他の利用者Ｘ2のアバターＡ2を確認した利用者Ｘ1は、端末装置１４の入力装置２５に対する操作で利用者Ｘ2を指定することが可能である。利用者Ｘ1の端末装置１４にて利用者Ｘ2が指定されると、移動履歴管理装置１２の表示制御部５４は、図１５に示すように、利用者Ｘ1が指定した利用者Ｘ2の管理領域Ｑ2と所有キャラクタＣ2とを、図１４の表示要素（利用者Ｘ1の管理領域Ｑ1，利用者Ｘ1の所有キャラクタＣ1およびアバターＡ1，利用者Ｘ2のアバターＡ2）に追加した領域通知画像３０を、利用者Ｘ1の端末装置１４の表示装置２４に表示させる。すなわち、利用者Ｘ1の表示装置２４に表示される領域通知画像３０について、利用者Ｘ2の管理領域Ｑ2および所有キャラクタＣ2の表示の有無が、利用者Ｘ1からの指示に応じて制御される。
【００５１】
第５実施形態においても第１実施形態と同様の効果が実現される。また、第５実施形態では、利用者Ｘ1の管理領域Ｑ1と利用者Ｘ2の管理領域Ｑ2とが重複する場合に、利用者Ｘ2のアバターＡ2が、利用者Ｘ1の管理領域Ｑ1やアバターＡ1とともに利用者Ｘ1の表示装置２４に表示されるから、利用者Ｘ1は、自身が移動運動を実行している管理領域Ｑ1と重複する範囲で移動運動を実行している他の利用者の存在を認識できる。したがって、第４実施形態と同様に、移動運動に対する利用者の意欲を効果的に維持できるという効果は格別に顕著である。
【００５２】
また、第５実施形態においては、利用者Ｘ1の表示装置２４に表示される領域通知画像３０において利用者Ｘ2の管理領域Ｑ2の表示の有無が切替えられる。したがって、利用者Ｘ2の管理領域Ｑ2を表示することで、例えば利用者Ｘ1の管理領域Ｑ1と利用者Ｘ2の管理領域Ｑ2との関係（例えば重複範囲）を利用者Ｘ1が確認することが可能であり、かつ、利用者Ｘ2の管理領域Ｑ2を非表示に設定することで、例えば利用者Ｘ1の管理領域Ｑ1を利用者Ｘ1が容易に確認することが可能である。なお、第５実施形態の構成を第２実施形態や第３実施形態に適用することも可能である。
【００５３】
＜第６実施形態＞
図１６は、第６実施形態の移動履歴管理装置１２のブロック図である。図１６に示すように、第６実施形態の移動履歴管理装置１２の制御装置４２は、第１実施形態と同様の要素（領域設定部５１，キャラクタ管理部５２，アバター管理部５３，表示制御部５４）に加えて関係管理部５６として機能する。関係管理部５６は、端末装置１４の各利用者の相互間の関係（以下「交流関係」という）を管理する。交流関係は、例えばＳＮＳ（Social Networking Service）で利用される関係（ソーシャルグラフ）を意味する。例えば、交流関係にある利用者間でメッセージを授受するサービスや、交流関係にある利用者が相互に協力しながら進行するゲームが提供される。
【００５４】
図１６に示すように、移動履歴管理装置１２の記憶装置４４は、第１実施形態と同様の要素（利用者情報Ｕ，地図情報ＤM，画像データＤC，画像データＤA）に加えて関係情報ＤRを記憶する。関係情報ＤRは、各利用者間の交流関係を規定する情報であり、例えば、交流関係にある各利用者の識別情報ＵIDを相互に対応付ける。
【００５５】
第６実施形態の移動履歴管理装置１２の表示制御部５４は、第４実施形態または第５実施形態と同様に、利用者Ｘ1の管理領域Ｑ1の近傍に位置する他の利用者Ｘ2のアバターＡ2を利用者Ｘ1の端末装置１４の表示装置２４に表示させる。利用者Ｘ1と利用者Ｘ2との間に交流関係が設定されていない場合を以下では想定する。
【００５６】
利用者Ｘ1が入力装置２５の操作で利用者Ｘ2との交流関係の設定を端末装置１４に指示すると、利用者Ｘ2を指定した交流関係設定要求が利用者Ｘ1の端末装置１４から移動履歴管理装置１２に送信される。移動履歴管理装置１２の関係管理部５６は、利用者Ｘ1の端末装置１４から交流関係設定要求を受付ける。具体的には、関係管理部５６は、交流関係の設定が利用者Ｘ1から要求されたことを利用者Ｘ2の端末装置１４に通知し、利用者Ｘ2からの承諾を条件として、利用者Ｘ1と利用者Ｘ2との間の交流関係を関係情報ＤRに追加する。他の構成や動作は前述の各形態と同様である。
【００５７】
第６実施形態においても第１実施形態と同様の効果が実現される。また、第６実施形態では、利用者Ｘ2のアバターＡ2が利用者Ｘ1の表示装置２４に表示されるから、第４実施形態や第５実施形態と同様に、利用者Ｘ1が、自身の管理領域Ｑ1の近傍で移動運動を実行している他の利用者の存在を認識できるという利点がある。さらに、第６実施形態では、利用者Ｘ1の領域通知画像３０に配置された利用者Ｘ2のアバターＡ2を利用者Ｘ1が指示した場合に、利用者Ｘ1と利用者Ｘ2との間の交流関係の設定要求を関係管理部５６が受付けるから、移動運動の範囲が近接する利用者同士の交流関係の成立が促進され、結果的に移動運動に対する各利用者の意欲を効果的に維持できるという格別の効果が実現される。
【００５８】
＜第７実施形態＞
図１７は、第７実施形態の移動履歴管理装置１２Aのブロック図である。第７実施形態の移動履歴管理装置１２Aは、例えば携帯電話機やスマートフォン等の携帯機器で実現され、制御装置２１と記憶装置２２と表示装置２４と入力装置２５と受信装置２６とを具備する。
【００５９】
制御装置２１は、記憶装置２２に記憶されたプログラムを実行することで、位置検出部２８に加えて、前述の各形態と同様の要素（領域設定部５１，キャラクタ管理部５２，アバター管理部５３，表示制御部５４）として機能する。領域設定部５１は、位置検出部２８が生成する位置情報Ｌの時系列に応じた管理領域Ｑを設定する。前述の各形態と同様に、キャラクタ管理部５２は利用者の所有キャラクタＣを管理し、アバター管理部５３は利用者のアバターＡを管理する。表示制御部５４は、領域設定部５１が設定した管理領域Ｑ内に所有キャラクタＣおよびアバターＡを配置した領域通知画像３０を表示装置２４に表示させる。
【００６０】
以上の説明から理解される通り、第７実施形態の移動履歴管理装置１２Aは、第１実施形態の移動履歴管理装置１２が端末装置１４に提供する機能を装置単体で実現する。したがって、第７実施形態においても第１実施形態と同様の効果が実現される。なお、第７実施形態は前述の各形態にも同様に適用される。例えば、ポイント管理部５５を利用する第２実施形態や第３実施形態の構成を、第７実施形態と同様に携帯機器で実現することも可能である。
【００６１】
＜変形例＞
以上に例示した各形態は多様に変形され得る。具体的な変形の態様を以下に例示する。以下の例示から任意に選択された２以上の態様は相互に矛盾しない範囲で適宜に併合され得る。
【００６２】
（１）前述の各形態では、管理領域Ｑ内に所有キャラクタＣおよびアバターＡを配置した領域通知画像３０を例示したが、所有キャラクタＣまたはアバターＡの表示を省略することも可能である。したがって、キャラクタ管理部５２またはアバター管理部５３は省略され得る。
【００６３】
（２）前述の各形態では、地図情報ＤMが示す参照地図Ｍ上に管理領域Ｑを表示したが、参照地図Ｍの表示は省略され得る。また、参照地図Ｍは現実の地図である必要はなく、仮想的な地図を参照地図Ｍとして利用することも可能である。例えば、仮想世界を表現する参照地図Ｍ上（例えば仮想世界の草原等の陸地上）に管理領域Ｑを表示する構成も採用され得る。また、参照地図Ｍが道路ＲMを含む構成や、位置情報Ｌの時系列が示す端末装置１４の移動経路ＲTを道路ＲMに近似する構成は省略され得る。
【００６４】
（３）前述の各形態では、利用者の移動距離δに応じて所有ポイントＰを制御（付加量ｐを設定）したが、所有ポイントＰの制御方法は以上の例示に限定されない。例えば、管理領域Ｑの面積αに応じて所有ポイントＰを制御する構成や、利用者が移動運動を実行した累積時間に応じて所有ポイントＰを制御する構成も採用され得る。
【００６５】
（４）前述の各形態では、移動履歴管理装置１２の記憶装置４４が地図情報ＤMを記憶する構成を例示したが、移動履歴管理装置１２とは別体の外部サーバ装置から移動履歴管理装置１２が地図情報ＤMを取得する構成も採用され得る。
【符号の説明】
【００６６】
１２……移動履歴管理装置、１４……端末装置、１６……通信網、２１……制御装置、２２……記憶装置、２３……通信装置、２４……表示装置、２５……入力装置、２６……受信装置、２８……位置検出部、３０……領域通知画像、４２……制御装置、４４……記憶装置、４６……通信装置、５１……領域設定部、５２……キャラクタ管理部、５３……アバター管理部、５４……表示制御部、５５……ポイント管理部、５６……関係管理部。
【図１】
2014026475.tif 000003
【図２】
2014026475.tif 000004
【図３】
2014026475.tif 000005
【図４】
2014026475.tif 000006
【図５】
2014026475.tif 000007
【図６】
2014026475.tif 000008
【図７】
2014026475.tif 000009
【図８】
2014026475.tif 000010
【図９】
2014026475.tif 000011
【図１０】
2014026475.tif 000012
【図１１】
2014026475.tif 000013
【図１２】
2014026475.tif 000014
【図１３】
2014026475.tif 000015
【図１４】
2014026475.tif 000016
【図１５】
2014026475.tif 000017
【図１６】
2014026475.tif 000018
【図１７】
2014026475.tif 000019